(57)【要約】      （修正有）【課題】製造を簡素化、便利化し、コスト削減を実現、製造上の経済効率を向上させる低電圧差動信号コネクタの提供。【解決手段】絶縁本体、接地板、金属遮蔽カバー、複数の端子を含む本考案の低電圧差動信号コネクタにおいて、絶縁本体は、接続面、背面、側面、底側面及び二つの端面を設け、その接続面は背面に貫通する中央挿入溝を設け、その中央挿入溝両側にはそれぞれ複数の端子溝及び複数の第一定位溝を設け、底側面には複数の第二定位溝を設けたものであり、接地板は、絶縁本体内に嵌合するもので、その接地板には複数の第一接合足部を突設、且つ、第一接合足部は絶縁本体の第一定位溝に嵌合しており、金属遮蔽カバーは、中空カバーで、絶縁本体上に単独で取り付けするものである。【選択図】図２
0003128232.tif 000002
【実用新案登録請求の範囲】
【請求項１】
絶縁本体、接地板、金属遮蔽カバー、複数の端子を含む低電圧差動信号コネクタにおいて、
絶縁本体は、接続面、背面、側面、底側面及び二つの端面を設け、その接続面は背面に貫通する中央挿入溝を設け、その中央挿入溝両側にはそれぞれ複数の端子溝及び複数の第一定位溝を設け、また、両端にはそれぞれ嵌合制止溝を設け、その端面に近い一端には嵌入溝を設け、底側面には複数の第二定位溝を設け、
接地板は、絶縁本体内に嵌合するものであり、本体及び本体に突出した複数の第一接合足部を設け、且つ、その第一接合足部は、絶縁本体の第一定位溝に嵌合し、また、接地板両端上方には水平状の側部接合板を延伸させ、側部接合板の嵌入溝に対応する両端には嵌合接合板を設け、嵌合接合板上には突出部及びロック孔を設け、
金属遮蔽カバーは、中空カバーであり、絶縁本体上に単独で取り付けするものであり、側板、底側板を含み、その底側板は絶縁本体の第二定位溝に対応する複数の第二接合足部を設け、
複数の端子は、絶縁本体の端子溝内に組み込むことを特徴とする低電圧差動信号コネクタ。
【請求項２】
請求項１記載の低電圧差動信号コネクタにおいて、前記嵌合接合板は、側部接合板両端から下向きに折り曲がり、更に嵌入溝方向に延伸突設することを特徴とする低電圧差動信号コネクタ。
【請求項３】
請求項１記載の低電圧差動信号コネクタにおいて、前記絶縁本体の側辺もしくは接続面の適当位置には少なくとも一つの第一嵌合溝を設け、第一嵌合溝に対応する箇所に長形凹溝を設けることを特徴とする低電圧差動信号コネクタ。
【請求項４】
請求項１記載の低電圧差動信号コネクタにおいて、前記絶縁本体の接続面の側辺適当位置には少なくとも一つの第二嵌合溝を設け、第二嵌合溝に対応する箇所に方形凹溝を設けることを特徴とする低電圧差動信号コネクタ。
【請求項５】
請求項４記載の低電圧差動信号コネクタにおいて、前記絶縁本体の端面の接続面に隣接する箇所に一つの突出接合部を設け、金属遮蔽カバーにはその突出接合部に対応する凹接合部を設けることを特徴とする低電圧差動信号コネクタ。
【請求項６】
請求項１記載の低電圧差動信号コネクタにおいて、前記側部接合板には更に一つの挿入圧止体を延伸突設することを特徴とする低電圧差動信号コネクタ。
【請求項７】
請求項６記載の低電圧差動信号コネクタにおいて、前記絶縁本体の背面の挿入圧止体に対応する箇所に挿入圧止溝を設けることを特徴とする低電圧差動信号コネクタ。
【請求項８】
請求項３記載の低電圧差動信号コネクタにおいて、前記金属遮蔽カバー側板及び底側板の絶縁本体第一嵌合溝に対応する箇所にそれぞれ第一嵌入突出部を設けることを特徴とする低電圧差動信号コネクタ。
【請求項９】
請求項４記載の低電圧差動信号コネクタにおいて、前記金属遮蔽カバーの側板には絶縁本体第二嵌合溝に対応する押圧体を設けることを特徴とする低電圧差動信号コネクタ。
【請求項１０】
請求項９記載の低電圧差動信号コネクタにおいて、前記金属遮蔽カバーの底側板両側には後ろ向きに突出したハンダ接合板を設けることを特徴とする低電圧差動信号コネクタ。
【請求項１１】
請求項５記載の低電圧差動信号コネクタにおいて、前記金属遮蔽カバーは、更に凹接合部を設置する二つの端板を含んでおり、その端板には外側に折れ曲がって延伸したハンダ接合耳部を設けることを特徴とする低電圧差動信号コネクタ。
【請求項１２】
請求項１記載の低電圧差動信号コネクタにおいて、前記端子は前端の接合引導部、中段部位の干渉部及び後端を折り曲げ延伸したハンダ接合後端部を含むことを特徴とする低電圧差動信号コネクタ。
【請求項１３】
請求項１記載の低電圧差動信号コネクタにおいて、絶縁本体の接続面は側面より若干突出していることを特徴とする低電圧差動信号コネクタ。
【請求項１４】
絶縁本体、接地板、金属遮蔽カバー、複数の端子を含む低電圧差動信号コネクタにおいて、
絶縁本体は、接続面、背面、側面、底側面及び二つの端面を設け、その接続面は背面に貫通する中央挿入溝を設け、中央挿入溝両側にはそれぞれ複数の端子溝及び複数の第一定位溝を設け、底側面には複数の第二定位溝を設け、
接地板は、絶縁本体内に嵌合するものであり、本体及び本体に突出した複数の第一接合足部を設け、且つ、第一接合足部は、絶縁本体の第一定位溝に嵌合し、
金属遮蔽カバーは、中空カバーであり、絶縁本体上に単独で取り付けするものであり、側板、底側板を含み、その底側板は絶縁本体の第二定位溝に対応する複数の第二接合足部を設け、
複数の端子は、絶縁本体の端子溝内に組み込むことを特徴とする低電圧差動信号コネクタ。
【考案の詳細な説明】
【技術分野】
【０００１】
本考案はコネクタに関するものであり、特に、テレビ、モニターパネルに応用する低電圧差動信号コネクタを提供、それは、分離式接地端子の設置によって簡素化した構造を持ち、金属遮蔽カバーのパンチ製造を便利にし、及び経済効率に符号する低電圧差動信号コネクタである。
【背景技術】
【０００２】
電子科学技術の不断なき発展に伴い、伝統的なＴＴＬパネル(Panel)がＬＶＤＳパネル(Panel)に変化、低電圧差動信号(LVDS:Low Voltage Differential Signaling)の電流型は、大量データ高速伝送を行う回路であり、ＳＶＧＡのＴＦＴ-ＬＣＤより高い解析度を持つディスプレイ装置、光通信及び電子交換装置のインターフェースに適用されている。低電圧差動信号伝送（ＬＶＤＳ）は現在比較的新しい技術の一つであり、現在の高効率データ伝送応用への要求を満足させ、同時に、この技術は、システム供給電圧を２Ｖまで低下可能で、将来応用上の要求を十分に満足でき、且つ、その330ｍＶ（最低250ｍＶと最高450ｍＶ）の低電圧差動信号と、変換時間が早いという特徴により、商品に100Ｍbpsから1Ｇbps以上の高速データ伝送を達成させ、また、精細、高速、低消費電力、高周波バンド及び電磁障害を低下させるＬＶＤＳインターフェースである。
【０００３】
このＬＶＤＳインターフェースシステムを使って信号伝送を行うコネクタは、電磁障害防止の厳しい要求故に、良好な電磁障害防止機能を持つことが低電圧差動信号コネクタ設計のポイントとなっている。公知の低電圧差動信号コネクタは、一般の絶縁本体、複数端子及び金属遮蔽カバーの設置の他、その金属遮蔽カバー上には別に多数量の接地端子を設けることにより、複数端子に対応してノイズ排除を行う。しかしながら、その金属遮蔽カバー上に多数の接地端子を設けている故に、金属遮蔽カバーのパンチ製造がかなり繁雑、困難になり、高価な機具設備や特殊な製造工程があってこそ完成され、金属遮蔽カバーのパンチ製造のコスト上昇に伴い低電圧差動信号コネクタの製造コストも上昇、明らかに製造の経済効率に符合しないものとなり、且つ、その市場競争力低下も招いている。よって、いかにこの金属遮蔽カバーに改良を加え、その製造上の繁雑さと不便さという欠点を解決するかが、業界や知識者達にとって更に思考、努力を積み重ねて突破しなければならない重要課題である。
【０００４】
前述公知技術の低電圧差動信号コネクタの欠点、課題及びその構造設計上において理想に至っていない事実を鑑み、本案考案者は、その解決方案に着手、研究開発、構想を重ね、便利で経済効率に符合する低電圧差動信号コネクタを開発して社会に貢献し、業界の発展を促進することを希望し、長い時間の構想後、ついに本考案創作に至った。
【考案の開示】
【考案が解決しようとする課題】
【０００５】
本考案は、低電圧差動信号コネクタの製造を簡素化、便利化し、製造コストを削減して製造上の経済効率を向上させる、低電圧差動信号コネクタの提案を目的とする。
【０００６】
また、本考案は、低電圧差動信号コネクタの金属遮蔽カバーを分離式によって接地端子を形成、並びに簡単に組立てを完成し、その製造上の経済効率に符合しない欠点を改善する、低電圧差動信号コネクタの提案を次の目的とする。
【０００７】
本考案は、上記目的が採用した技術手段を採用し、絶縁本体、接地板、金属遮蔽カバー、複数の端子を含む低電圧差動信号コネクタである。その絶縁本体は、接続面、背面、側面、底側面及び二つの端面を設け、接続面は背面に貫通する中央挿入溝を設け、その中央挿入溝両側にはそれぞれ複数の端子溝及び複数の第一定位溝を設け、底側面には複数の第二定位溝を設け、その接地板は、絶縁本体内に嵌合するものであり、接地板には複数の第一接合足部を突設、且つ、第一接合足部は絶縁本体の第一定位溝に嵌合するものであり、金属遮蔽カバーは、中空カバーで、絶縁本体上に単独で取り付けし、絶縁本体の第二定位溝に対応する複数の第二接合足部を設け、第二接合足部は第二定位溝に嵌設するものであり、複数の端子は、絶縁本体の複数の端子溝内に組み込む。
【課題を解決するための手段】
【０００８】
請求項１の考案は、絶縁本体、接地板、金属遮蔽カバー、複数の端子を含む低電圧差動信号コネクタにおいて、
絶縁本体は、接続面、背面、側面、底側面及び二つの端面を設け、その接続面は背面に貫通する中央挿入溝を設け、その中央挿入溝両側にはそれぞれ複数の端子溝及び複数の第一定位溝を設け、また、両端にはそれぞれ嵌合制止溝を設け、その端面に近い一端には嵌入溝を設け、底側面には複数の第二定位溝を設け、
接地板は、絶縁本体内に嵌合するものであり、本体及び本体に突出した複数の第一接合足部を設け、且つ、その第一接合足部は、絶縁本体の第一定位溝に嵌合し、また、接地板両端上方には水平状の側部接合板を延伸させ、側部接合板の嵌入溝に対応する両端には嵌合接合板を設け、嵌合接合板上には突出部及びロック孔を設け、
金属遮蔽カバーは、中空カバーであり、絶縁本体上に単独で取り付けするものであり、側板、底側板を含み、その底側板は絶縁本体の第二定位溝に対応する複数の第二接合足部を設け、
複数の端子は、絶縁本体の端子溝内に組み込むことを特徴とする低電圧差動信号コネクタとしている。
請求項２の考案は、請求項１記載の低電圧差動信号コネクタにおいて、前記嵌合接合板は、側部接合板両端から下向きに折り曲がり、更に嵌入溝方向に延伸突設することを特徴とする低電圧差動信号コネクタとしている。
請求項３の考案は、請求項１記載の低電圧差動信号コネクタにおいて、前記絶縁本体の側辺もしくは接続面の適当位置には少なくとも一つの第一嵌合溝を設け、第一嵌合溝に対応する箇所に長形凹溝を設けることを特徴とする低電圧差動信号コネクタとしている。
請求項４の考案は、請求項１記載の低電圧差動信号コネクタにおいて、前記絶縁本体の接続面の側辺適当位置には少なくとも一つの第二嵌合溝を設け、第二嵌合溝に対応する箇所に方形凹溝を設けることを特徴とする低電圧差動信号コネクタとしている。
請求項５の考案は、請求項４記載の低電圧差動信号コネクタにおいて、前記絶縁本体の端面の接続面に隣接する箇所に一つの突出接合部を設け、金属遮蔽カバーにはその突出接合部に対応する凹接合部を設けることを特徴とする低電圧差動信号コネクタとしている。
請求項６の考案は、請求項１記載の低電圧差動信号コネクタにおいて、前記側部接合板には更に一つの挿入圧止体を延伸突設することを特徴とする低電圧差動信号コネクタとしている。
請求項７の考案は、請求項６記載の低電圧差動信号コネクタにおいて、前記絶縁本体の背面の挿入圧止体に対応する箇所に挿入圧止溝を設けることを特徴とする低電圧差動信号コネクタとしている。
請求項８の考案は、請求項３記載の低電圧差動信号コネクタにおいて、前記金属遮蔽カバー側板及び底側板の絶縁本体第一嵌合溝に対応する箇所にそれぞれ第一嵌入突出部を設けることを特徴とする低電圧差動信号コネクタとしている。
請求項９の考案は、請求項４記載の低電圧差動信号コネクタにおいて、前記金属遮蔽カバーの側板には絶縁本体第二嵌合溝に対応する押圧体を設けることを特徴とする低電圧差動信号コネクタとしている。
請求項１０の考案は、請求項９記載の低電圧差動信号コネクタにおいて、前記金属遮蔽カバーの底側板両側には後ろ向きに突出したハンダ接合板を設けることを特徴とする低電圧差動信号コネクタとしている。
請求項１１の考案は、請求項５記載の低電圧差動信号コネクタにおいて、前記金属遮蔽カバーは、更に凹接合部を設置する二つの端板を含んでおり、その端板には外側に折れ曲がって延伸したハンダ接合耳部を設けることを特徴とする低電圧差動信号コネクタとしている。
請求項１２の考案は、請求項１記載の低電圧差動信号コネクタにおいて、前記端子は前端の接合引導部、中段部位の干渉部及び後端を折り曲げ延伸したハンダ接合後端部を含むことを特徴とする低電圧差動信号コネクタとしている。
請求項１３の考案は、請求項１記載の低電圧差動信号コネクタにおいて、絶縁本体の接続面は側面より若干突出していることを特徴とする低電圧差動信号コネクタとしている。
請求項１４の考案は、絶縁本体、接地板、金属遮蔽カバー、複数の端子を含む低電圧差動信号コネクタにおいて、
絶縁本体は、接続面、背面、側面、底側面及び二つの端面を設け、その接続面は背面に貫通する中央挿入溝を設け、中央挿入溝両側にはそれぞれ複数の端子溝及び複数の第一定位溝を設け、底側面には複数の第二定位溝を設け、
接地板は、絶縁本体内に嵌合するものであり、本体及び本体に突出した複数の第一接合足部を設け、且つ、第一接合足部は、絶縁本体の第一定位溝に嵌合し、
金属遮蔽カバーは、中空カバーであり、絶縁本体上に単独で取り付けするものであり、側板、底側板を含み、その底側板は絶縁本体の第二定位溝に対応する複数の第二接合足部を設け、
複数の端子は、絶縁本体の端子溝内に組み込むことを特徴とする低電圧差動信号コネクタとしている。
【考案の効果】
【０００９】
本考案の低電圧差動信号コネクタ100は接地板を設けて、金属遮蔽カバー30の一部分の接地端子を分離させ、このように金属遮蔽カバー30のパンチ製造を簡単化、便利化し、既にある機具設備を使って製作可能であり、特殊製造工程の繁雑、問題点を解決、金属遮蔽カバー30のパンチ製造に伴い低電圧差動信号コネクタ100の製造コストを削減、積極的に製造上の経済効率の要求を充たし、市場競争力を向上させることを特徴とする。
【考案を実施するための最良の形態】
【００１０】
図１〜図４に示すとおり、本考案の低電圧差動信号コネクタ100は、絶縁本体10、接地板20、金属遮蔽カバー30及び複数の端子40を含む構造であり、その絶縁本体10は、接続面11、背面12、側面13、底側面14及び二つの端面19を設け、その接続面11は側面13より若干突出し、それには背面12に貫通する中央挿入溝15及び中央挿入溝15両端の嵌合制止溝16を設け、その中央挿入溝15両側にはそれぞれ複数の端子溝151、及び複数の第一定位溝152を設け、また、嵌合制止溝16の端面19に近い一端には嵌入溝161を設け、接続面11両側の適当位置にはそれぞれ二つの第一嵌合溝111を設け、接続面11の一側面の適当位置には第一嵌合溝111より若干大きい複数の第二嵌合溝112を設け、側面13両端には第一嵌合溝111に対応する長形凹溝131及び第二嵌合溝112に対応する方形凹溝132を設け、底側面14には複数の第二定位溝141及び第一嵌合溝111に対応する長形凹溝142（図５参照）を設け、端面19の接続面11に隣接する箇所に一つの突出接合部191を設ける。
【００１１】
接地板20は若干長形状を成すコ形板であり、それは、適当な高さで直立する本体21を含み、本体21上方位置には前方向の複数の第一接合足部211を突設、本体21両端上方には水平状の側部接合板22を延伸させ、側部接合板22には一つの挿入圧止体222を延伸突設しており、側部接合板22両端には下向きに折り曲がった嵌合接合板23を形成、その嵌合接合板23上には突出部231及びロック孔232を設け、ロック孔232はコネクタを連結する時に相互に嵌合ロックする働きを持つ。接地板20は絶縁本体10の背面12から組み込み、その両端の嵌合接合板23は絶縁本体10の嵌入溝161箇所に嵌合（図６参照）、並びに突出部231によって干渉定位を成し、また、その挿入圧止体222は絶縁本体10の背面12の一つの挿入圧止溝121箇所に挿入結合（図８参照）して、全組立てを安定結合、固定する。第一接合足部211は絶縁本体10の第一定位溝152に嵌入（図７、図８参照）することにより、ノイズの接地導出をし、電磁障害を取り除く。
【００１２】
金属遮蔽カバー30は中空カバーであり、絶縁本体10上に単独で取り付けするものであり、側板31、底側板32、背板34及び二つの端板33を含み、その側板31、底側板32は絶縁本体10の第一嵌合溝111に対応する第一嵌入突出部311、321をそれぞれ突設、また、側板31には絶縁本体10の第二嵌合溝112に対応する押圧体312を設け、底側板32には絶縁本体10の第二定位溝141に対応する複数の第二接合足部322を設け、また、その底側板32両側には後ろ向きに突出したハンダ接合板323を設け、端板33には絶縁本体10の突出接合部191に対応する凹接合部331を設け、且つ、端板33には外側に折れ曲がったハンダ接合耳部332を突設する。金属遮蔽カバー30は接地板20に連接し絶縁本体10の背面12から組み込み、並びに、第一嵌入突出部311、321を第一嵌合溝111に挿入（図９、図１０参照）、また、押圧体312を第二嵌合溝112に嵌入した後、方形凹溝132に押圧嵌合し、組立て全体に安定性と強固性を持たせる。第二接合足部322は絶縁本体10の第二定位溝141に嵌入することにより、ハンダ接合定位及びノイズの接地導出の役割を果たし、並びに電磁障害を除去する。
【００１３】
複数の端子40は絶縁本体10の複数の端子溝151に挿入（図７、図１１）、端子40は前端の接合引導部41、中段部位の干渉部42及び後端を折り曲げ延伸したハンダ接合後端部43を含み、その干渉部42は端子溝151と干渉定位を起こし、複数の端子40を複数の端子溝151内に定位させる。
【００１４】
本考案の低電圧差動信号コネクタ100を組み立てた後、その金属遮蔽カバー30のハンダ接合耳部332、第二接合足部322及び端子40のハンダ接合後端部43は表面実装技術（SMT:Surface Mount Technology）によって回路板上にハンダ固定され（未図示）、並びに第一接合足部211、第二接合足部322の押止によって最良の電磁障害防止効果を発揮する。
【００１５】
このように、本考案の低電圧差動信号コネクタ100は接地板20の設置により、金属遮蔽カバー30の一部分の接地端子を分離させることにより、金属遮蔽カバー30のパンチ製造を簡素化、便利化し、既にある機具設備を使って製作ができ、並びに、特殊製造工程の繁雑、問題点を解決、金属遮蔽カバー30のパンチ製造に伴い低電圧差動信号コネクタ100の製造コストを削減、積極的に製造上の経済効率の要求を充たし、市場競争力を向上させる。
【図面の簡単な説明】
【００１６】
【図１】本考案の分解表示図である。
【図２】本考案の前方向立体表示図である。
【図３】本考案の後方向立体表示図である。
【図４】本考案の上面表示図である。
【図５】本考案の図４、5-5の断面表示図である。
【図６】本考案の図４、6-6の断面（接地板干渉定位）表示図である。
【図７】本考案の図４、7-7の断面表示図である。
【図８】本考案の図４、8-8の断面表示図である。
【図９】本考案の図４、9-9の断面表示図である。
【図１０】本考案の図４、10-10の断面表示図である。
【図１１】本考案の図４、11-11の断面表示図である。
【符号の説明】
【００１７】
１０        絶縁本体
２０        接地板
３０        金属遮蔽カバー
４０        端子
１１        接続面
１２        背面
１３        側面
１４        底側面
１９        端面
１５        中央挿入溝
１６        嵌合制止溝
１５１      端子溝
１６１      嵌入溝
１５２      第一定位溝
１１１      第一嵌合溝
１１２      第二嵌合溝
１３１      長形凹溝
１３２      方形凹溝
１４１      第二定位溝
１４２      長形凹溝
１９１      突出接合部
２１        本体
２１１      第一接合足部
２２        側部接合板
２２２      挿入圧止体
２３        嵌合接合板
２３１      突出部
２３２      ロック孔
１２１      挿入圧止溝
３１        側板
３２        底側板
３３        端板
３４        背板
３１２      押圧体
３１１、３２１  第一嵌入突出部
３２３      ハンダ接合板
３２２      第二接合足部
３３１      凹接合部
３３２      ハンダ接合耳部
４１        接合引導部
４２        干渉部
４３        ハンダ接合後端部
１００      低電圧差動信号コネクタ
【図１】
0003128232.tif 000003
【図２】
0003128232.tif 000004
【図３】
0003128232.tif 000005
【図４】
0003128232.tif 000006
【図５】
0003128232.tif 000007
【図６】
0003128232.tif 000008
【図７】
0003128232.tif 000009
【図８】
0003128232.tif 000010
【図９】
0003128232.tif 000011
【図１０】
0003128232.tif 000012
【図１１】
0003128232.tif 000013